(57)【特許請求の範囲】
【請求項１】
本体と該本体にヒンジ部を介して開閉自在に支承された蓋体とを備え、かつ光源を有する発光インジケータを備えるとともに、前記本体に設けられた基板と前記蓋体に設けられた基板とをフレキシブル配線基板により互いに接続して成る折畳み式携帯情報端末であって、
前記フレキシブル配線基板の前記ヒンジ部に収容される部位に設けられ、前記フレキシブル基板から供給される電力によって発光動作する光源と、
前記ヒンジ部を構成するとともに、前記光源からの光を外部に通過させて前記ヒンジ部の側方端面を発光させるヒンジユニットと、
を備えて成ることを特徴とする折畳み式携帯情報端末。
【請求項２】
前記フレキシブル配線基板の前記ヒンジ部に収容される部位を前記光源とともに収容し、前記光源からの光を内部を進行させて前記ヒンジユニットに到達させる導光パイプを備えたことを特徴とする請求項１記載の折畳み式携帯情報端末。
【請求項３】
前記導光パイプは、該導光パイプを割り開くためのスリットを有していることを特徴とする請求項２記載の折畳み式携帯情報端末。
【発明の詳細な説明】
【０００１】
【発明の属する技術分野】
本発明は、本体と該本体にヒンジ部を介して開閉自在に支承された蓋体とを備え、かつ光源を有する発光インジケータを備えるとともに、前記本体に設けられた基板と前記蓋体に設けられた基板とをフレキシブル配線基板により互いに接続して成る折畳み式携帯情報端末に関するものである。
【０００２】
【従来の技術】
図１６および図１７に示す、折畳み式携帯情報端末の一態様である折畳み式の携帯電話機Ａは、本体Ｂおよび蓋体Ｃを具備するとともに、これら本体Ｂと蓋体Ｃとをヒンジ部Ｄにより開閉自在に連結することによって構成されている。
【０００３】
また、本体Ｂにはテンキー等の操作部Ｅや送話部Ｆ等が設けられている一方、蓋体ＣにはアンテナＧ、液晶表示部Ｈおよび受話部Ｉ等が設けられており、本体Ｂおよび蓋体Ｃに収容設置された個々の基板(図示せず)は、フレキシブル配線基板(図示せず)を介して互いに接続されている。
【０００４】
また、上記携帯電話機Ａにおける蓋体Ｃの端部には、充電時における満充電や使用時における着信等を発光によって指示する発光インジケータＪが設けられている。
【０００５】
図１８に示す如く上記発光インジケータＪは、蓋体Ｃに収容設置されている基板Ｋに実装された光源(ＬＥＤ：ライト・エミッティング・ダイオード)Ｌ、Ｌと、蓋体Ｃの筐体Ｃａに取り付けられた樹脂材料等から成る透光性のレンズ部品Ｍとを具備して成り、光源Ｌ、Ｌからの光をレンズ部品Ｍを通過させて外部に発散させることで光表示を行っている。
【０００６】
【発明が解決しようとする課題】
ところで、上述した折畳み式の携帯電話機Ａにおいては、基板Ｋの一方面に実装した光源Ｌ、Ｌに対向させて、蓋体Ｃの正面側にレンズ部品Ｍを取り付けているため、図１６の如く開成した状態においては発光インジケータＪの光表示を明瞭に視認し得る反面、図１７の如く閉成した状態では本体Ｂと蓋体Ｃとの間にレンズ部品Ｍが隠れてしまうため、発光インジケータＪの光表示が極めて視認し難いものとなる不都合があった。
【０００７】
また、基板Ｋの他方面に光源Ｌ、Ｌを実装し、この光源Ｌ、Ｌに対向させて蓋体Ｃの背面側にレンズ部品Ｍを取り付けた構成においても、閉成した状態では光表示を明瞭に視認し得る反面、開成した状態では蓋体の背面側にレンズ部品Ｍが隠れてしまうため、発光インジケータＪの光表示が視認し難いものとなる不都合を免れなかった。
【０００８】
本発明は上記実状に鑑みて、本体と蓋体とにおける開閉の如何んに関わらず、使用者に発光インジケータの光表示を確実に視認させることを可能とした、折畳み式携帯情報端末の提供を目的とするものである。
【０００９】
【課題を解決するための手段】
本発明に関わる折畳み式携帯情報端末は、本体と該本体にヒンジ部を介して開閉自在に支承された蓋体とを備え、かつ光源を有する発光インジケータを備えるとともに、前記本体に設けられた基板と前記蓋体に設けられた基板とをフレキシブル配線基板により互いに接続して成る折畳み式携帯情報端末であって、
前記フレキシブル配線基板の前記ヒンジ部に収容される部位に設けられ、前記フレキシブル基板から供給される電力によって発光動作する光源と、
前記ヒンジ部を構成するとともに、前記光源からの光を外部に通過させて前記ヒンジ部の側方端面を発光させるヒンジユニットとを備えて成ることを特徴としている。
【００１０】
【発明の実施の形態】
以下、本発明の実施例を、図面を参照しながら詳細に説明する。
図１〜図３は、折畳み式携帯情報端末の一態様である折畳み式の携帯電話機に本発明を適用した第１の実施例を示しており、この携帯電話機１は本体２および蓋体３を具備するとともに、上記本体２と蓋体３とをヒンジ部４により開閉自在に連結して構成されている。
【００１１】
上記携帯電話機１の本体２には、テンキーや各種ファンクションキー等から成る操作部５および送話部６等が設けられている一方、上記携帯電話機１の蓋体３には、液晶表示部７、受話部８およびアンテナ９等が設置されている。
【００１２】
図１に示す如く、本体２に対して蓋体３を開成した状態においては、本体２の操作部５および送話部６と、蓋体３の液晶表示部６および受話部８とが露出する一方、本体２に対して蓋体３を開成した状態においては、操作部５および送話部６が蓋体３によって覆われ、かつ液晶表示部６および受話部８が本体２によって覆われることとなる。
【００１３】
また、図３に示すように、本体２に収容設置されている本体側回路基板(基板)２Ａと、蓋体３に収容設置されている蓋体側回路基板(基板)３Ａとは、後述する如くヒンジ部４に一部を収容させて配設したフレキシブル配線基板１０を介して互いに接続されている。
【００１４】
ここで、携帯電話機１のヒンジ部４は、図４に示す如く、本体２の基端左右に形成されたボス部２Ｂと、蓋体３の基端左右に設けられたボス部３Ｂとを、一方(図中左方)のヒンジユニット２０と、他方(図中右方)のヒンジユニット３０とを用いて連結している。
【００１５】
さらに、一方(図中左方)のボス部２Ｂ、３Ｂと、他方(図中右方)のボス部２Ｂ、３Ｂとの間には、本体２における筐体の一部と、蓋体３における筐体の一部とから所謂ヒンジ樽４Ａが形成され、このヒンジ樽４Ａの内部には後述するフレキシブル配線基板１０の巻回部１０Ｃと導光パイプ４０とが収容されている。
【００１６】
上記フレキシブル配線基板１０は、図５および図７に示す如く、本体側コネクタ基板１１の設けられた本体側延出部１０Ａと、蓋体側コネクタ基板１２の設けられた蓋体側延出部１０Ｂと、これら延出部１０Ａ、１０Ｂを繋ぐ巻回部１０Ｃとから構成されている。
【００１７】
また、上記フレキシブル配線基板１０の巻回部１０Ｃ、すなわち上記ヒンジ部４(ヒンジ樽４Ａ)に収容される部位には、図３および図４に示す如く、光源としての赤色のＬＥＤ１５と青色のＬＥＤ１６とが実装されている。
【００１８】
ここで、上述した各ＬＥＤ１５、１６は、共にフレキシブル配線基板１０上に設けられたパワーライン(図示せず)から電力が供給され、電気的制御に基づいて発光動作する。なお、光源としてのＬＥＤの色調や設置個数は、所望する光表示の態様に基づいて任意に設定し得ることは勿論である。
【００１９】
上記導光パイプ４０は、フレキシブル配線基板１０の巻回部１０Ｃ、言い換えれば巻回部１０Ｃに実装された各ＬＥＤ１５、１６を収容し、かつヒンジ樽４Ａの全域に亘って延在する略円筒形状の部材であり、図６および図７に示す如く、フレキシブル配線基板１０の延出部１０Ａ、１０Ｂを挿通させる切欠き４０Ａ、切欠き４０Ｂとを有している。
【００２０】
なお、上述した導光パイプ４０のスリット４０Ｓは、例えば樹脂材料等から成る導光パイプ４０を割り開くことによって、フレキシブル配線基板１０の組み付けを可能とするための工夫である。
【００２１】
携帯電話機１におけるヒンジ部４を構成する一方のヒンジユニット２０は、本体２に対する所定の位置(開成位置／閉成位置)に蓋体３を保持するためのロック機構を備えており、その構成は図８〜図１０に示すように、キャップ２１、支軸２２、可動筒２３、スプリング２４、キャッチ２５、ディスク２６、およびフック２７から成る周知のものである。
【００２２】
一方、上記ヒンジ部４を構成する他方のヒンジユニット３０は、ロック機構を備えるものではなく、図１１および図１２に示す如く、キャップ３１、支軸３２、可動筒３３およびフック３４を具備して成り、支軸３２を中心に可動筒３３とフック３４とを相対回動させることで、携帯電話機１の本体２と蓋体３とを開閉自在に支承するものである。
【００２３】
また、上記他方のヒンジユニット３０を構成する各部材３１〜３４は、全て透明あるいは半透明の透光性を有する樹脂材料によって製造されており、上述した他方のヒンジユニット３０および各ＬＥＤ１５、１６(図４参照)等により、充電時における満充電や使用時における着信等を発光によって指示する発光インジケータ５０が構成されている。
【００２４】
上述した構成の携帯電話機１において、発光インジケータ５０を構成しているＬＥＤ１５、１６が発光動作すると、上記ＬＥＤ１５、１６からの光は、図１３中の矢印ａの如く導光パイプ４０の内部を進行して他方のヒンジユニット３０に到達し、次いで矢印ｂおよび矢印ｃの如く支軸３２、可動筒３３、フック３４を透過したのち、矢印ｄの如くキャップ３１を通過して外部に発散する。
【００２５】
このとき、上述した如くＬＥＤ１５、１６からの光がキャップ３１を通過する際、上記キャップ３１を発光させることによって、携帯電話機１におけるヒンジ部４の側方端面が発光することとなる。
【００２６】
ここで、上記ヒンジ部４の側方端面、すなわちヒンジユニット３０におけるキャップ３１は、携帯電話機１の開閉状態を問わず常に外側方に向けて露出しているため、上述した携帯電話機１においては、本体２と蓋体３との開閉の如何んに関わらず、使用者に発光インジケータ５０の光表示を確実に視認させることが可能となる。
【００２７】
また、上述した構成の携帯電話機１では、フレキシブル配線基板１０における巻回部１０Ｃ、すなわちヒンジ部４に収容される部位にＬＥＤ１５、１６を設けているため、蓋体に設けられた基板に光源を実装している従来の構成と比較して、上記基板の小型化および携帯電話機における外観のコンパクト化を達成することができ、さらに上記基板のスペースに光源に換えて他の部品を実装し得るため、携帯電話機設を設計する際の自由度が大幅に向上することとなる。
【００２８】
また、上述した構成の携帯電話機１では、発光インジケータ５０を構成するヒンジユニット３０を介してＬＥＤ１５、１６からの光を外部に通過させているため、筐体の開口に取り付けたレンズ部品を介して光源からの光を外部に通過させている従来の構成と比較して、筐体に開口を形成する手間やレンズ部品の製作および組み付けを必要としないため、携帯電話機を製造する際の生産性が大幅に向上することとなる。
【００２９】
さらに、上述した構成の携帯電話機１では、発光インジケータ５０を構成するＬＥＤ１５、１６をフレキシブル配線基板１０から供給される電力によって発光動作させているので、電源部からＬＥＤ１５、１６に向けて電力供給用の配線を別途に設置する必要がなく、もって構造の簡易化および部品点数の削減等によって、携帯電話機を製造する際の生産性が大幅に向上することとなる。
【００３０】
図１４および図１５は、折畳み式の携帯電話機に本発明を適用した第２の実施例を示しており、この折畳み式の携帯電話機１′は、本体２′および蓋体３′を具備するとともに、これら本体２′と蓋体３′とをヒンジ部４′により開閉自在に連結している。
【００３１】
上記ヒンジ部４′を構成する左右のヒンジユニット２０′は、ロック機構を有するヒンジユニットであって、キャップ２１′、支軸２２′、可動筒２３′、スプリング２４′、キャッチ２５′、ディスク２６′、およびフック２７′から成りっている。
【００３２】
また、各ヒンジユニット２０′は、スプリング２４′、キャッチ２５′およびディスク２６′が金属から形成されている一方、その他のキャップ２１′、支軸２２′、可動筒２３′およびフック２７′は、透明あるいは半透明の透光性を有する樹脂材料によって製造されている。
【００３３】
さらに、ＬＥＤ１５′、１６′および一方のヒンジユニット２０′等により、またＬＥＤ１５′、１６′および他方のヒンジユニット２０′等により、ヒンジ部４′の左右側部にはそれぞれ発光インジケータ５０′が構成されている
なお、上述した携帯電話機１′の構成は、左右のヒンジユニット２０′の具体的な構造、およびヒンジ部４′の左右に発光インジケータ５０′を設けた以外、図１〜図１３に示した携帯電話機１と基本的に同一なので、携帯電話機１′の構成要素において、携帯電話機１の構成要素と同一の作用を成すものには、図１４および図１５において、図１〜図１３と同一の符号に′(ダッシュ)を附すことで詳細な説明は省略する。
【００３４】
上述した構成の携帯電話機１′において、ＬＥＤ１５′、１６′からの光は、矢印ｈの如く導光パイプ４０′の内部を進行してヒンジユニット２０′に到達したのち、次いで矢印ｉおよび矢印ｊの如く、透光体から成る支軸２２′、フック２４′および可動筒２３′を透過し、同じく透光体から成るキャップ２１′を矢印ｋの如く通過して外部に発散する。
【００３５】
なお、キャッチ２５′やディスク２６′等の金属部品は、フック２４′および可動筒２３′よりも小形の部品であるため、フック２４′から進行する光はディスク２６′等を回り込んで可動筒２３′に到達することができる。
【００３６】
上述の如くＬＥＤ１５′、１６′からの光が、左右の発光インジケータ５０′を構成するヒンジユニット２０′のキャップ２１′を発光させることで、携帯電話機１′のヒンジ部４′における左右の側方端面が発光することとなる。
【００３７】
このように、上述した携帯電話機１′においては、発光インジケータ５０′がヒンジ部４′の左右に設けられていることにより、本体２′と蓋体３′との開閉の如何んに関わらず、使用者に発光インジケータ５０′の光表示を確実に視認させることが可能となる。
【００３８】
また、上述した携帯電話機１′においても、先に詳述した第１の実施例における携帯電話機１と同じく、外観のコンパクト化、設計時における自由度の向上、および製造時における生産性の向上等、様々な作用効果を奏することは言うまでもない。
【００３９】
なお、上述した各実施例においては、折畳み式携帯情報端末の一態様である携帯電話機に本発明を適用した例を示したが、例えばＰＤＡ（パーソナル・データ・アシスタンス）等、携帯電話機以外の様々な折畳み式携帯情報端末にも、本発明を有効に適用し得ることは言うまでもない。
【００４０】
【発明の効果】
以上、詳述した如く、本発明に関わる携帯情報端末は、本体と該本体にヒンジを介して開閉自在に支承された蓋体とを備え、かつ光源を用いた光表示部を有するとともに、前記本体に設けられた基板と前記蓋体に設けられた基板とをフレキシブル配線基板により互いに接続して成る折畳み式携帯情報端末であって、
前記フレキシブル配線基板の前記ヒンジ部に収容される部位に設けられ、前記フレキシブル基板から供給される電力によって発光動作する光源と、
前記ヒンジ部を構成するとともに、前記光源からの光を外部に通過させて前記ヒンジ部の側方端面を発光させるヒンジユニットとを備えて成ることを特徴とするものである。
【００４１】
上記構成によれば、上述した光源とヒンジユニットとを有する発光インジケータが構成されることによって、光源からの光がヒンジユニットを通過してヒンジ部の側方端面を発光させることとなり、上記ヒンジ部の側方端面は折畳み式携帯情報端末の開閉を問わず常に外方に向けて露出しているため、本発明に関わる折畳み式携帯情報端末では、本体と蓋体とにおける開閉の如何んに関わらず、使用者に発光インジケータの光表示を確実に視認させることが可能となる。
【００４２】
また、上記構成によれば、フレキシブル配線基板のヒンジ部に収容される部位に光源を設けたことで、例えば蓋体に設けられた基板に光源を実装している従来の構成と比べ、上記基板の小型化によって折畳み式携帯情報端末のコンパクト化が図れ、あるいは上記基板に光源に換えて他の部品を実装し得るために設計自由度が向上する。
【００４３】
また、上記構成によれば、発光インジケータを構成するヒンジユニットを介して光源からの光を外部に通過させているため、例えば蓋体の筐体に設けた開口に取り付けたレンズ部品を介して光源からの光を外部に通過させている従来の構成と比べ、筐体に開口を形成する手間やレンズ部品の製作および組み付けを必要とせず、もって折畳み式携帯情報端末の生産性を向上させることができる。
【００４４】
さらに、上記構成によれば、フレキシブル配線基板に設けられた光源は上記フレキシブル配線基板から供給される電力によって発光動作するので、電源部から光源に向けて電力供給用の配線を別途に設置する必要がなく、もって構造の簡易化および部品点数の削減等により、折畳み式携帯情報端末の生産性を向上させることができる。
【図面の簡単な説明】
【図１】本発明に関わる折畳み式機携帯情報端末の第１の実施例である携帯電話機の開成状態を示す外観斜視図。
【図２】    (ａ)および(ｂ)は、図１に示した携帯電話機の閉成状態を示す正面外観図および側面外観図。
【図３】図１に示した携帯電話機の本体側回路基板と蓋体側回路基板とをフレキシブル配線基板により接続している態様を示す概念図。
【図４】図２中の IV−IV 線断面図。
【図５】図１に示した携帯電話機におけるフレキシブル配線基板の外観斜視図。
【図６】図１に示した携帯電話機における導光パイプを示す外観斜視図。
【図７】フレキシブル配線基板に導光パイプを組み付けた状態を示す外観斜視図。
【図８】    (ａ)、(ｂ)および(ｃ)は、ロック機構付きのヒンジユニットを示す側面図、内側端面図および外側端面図。
【図９】図８に示したヒンジユニットの平面図。
【図１０】図９中の X−X 線断面図。
【図１１】    (ａ)、(ｂ)および(ｃ)は、ロック機構を有していないヒンジユニットを示す側面図、内側端面図および外側端面図。
【図１２】図１１中の XII−XII 線断面図。
【図１３】図１に示した携帯電話機におけるヒンジ部の要部拡大断面図。
【図１４】本発明に関わる折畳み式機携帯情報端末の第２の実施例である携帯電話機のヒンジ部を示す断面図。
【図１５】図１４に示した携帯電話機におけるヒンジ部の要部拡大断面図。
【図１６】従来の折畳み式携帯情報端末の一例である携帯電話機の開成状態を示す外観斜視図。
【図１７】    (ａ)および(ｂ)は、図１６に示した従来の携帯電話機の閉成状態を示す正面外観図および側面外観図。
【図１８】図１６に示した従来の携帯電話機における発光インジケータを示す要部拡大断面図。
【符号の説明】
１、１′…携帯電話機(折畳み式携帯情報端末)、
２、２′…本体、
２Ａ…本体側回路基板(基板)、
３、３′…蓋体、
３Ａ…蓋体側回路基板(基板)、
４、４′…ヒンジ部、
４Ａ、４Ａ′…ヒンジ樽、
１０、１０′…フレキシブル配線基板、
１５、１６、１５′、１６′…ＬＥＤ(光源)、
２０、２０′、３０…ヒンジユニット、
４０、４０′…導光パイプ、
５０、５０′…発光インジケータ。
【図１】
0003850754.tif 000002
【図２】
0003850754.tif 000003
【図３】
0003850754.tif 000004
【図４】
0003850754.tif 000005
【図５】
0003850754.tif 000006
【図６】
0003850754.tif 000007
【図７】
0003850754.tif 000008
【図８】
0003850754.tif 000009
【図９】
0003850754.tif 000010
【図１０】
0003850754.tif 000011
【図１１】
0003850754.tif 000012
【図１２】
0003850754.tif 000013
【図１３】
0003850754.tif 000014
【図１４】
0003850754.tif 000015
【図１５】
0003850754.tif 000016
【図１６】
0003850754.tif 000017
【図１７】
0003850754.tif 000018
【図１８】
0003850754.tif 000019